(57)【要約】    【課題】  ＨＤＭＩシンク装置にて受信した多チャネル音声について、一部の音声をＨＤＭＩシンク装置にて再生し、他の一部の音声をＨＤＭＩソース装置にて再生することを可能とするシステムを提供する。    【解決手段】  ＨＤＭＩシンク装置２１にて受信された多チャネル音声信号は、音声信号送信部６３によって、ＨＤＭＩケーブル６８のオーディオリターンチャネルを介して、ＨＤＭＩソース装置４１に送信される。受信された多チャネル音声信号は、デコード部７３において、中央信号Ｃ、左信号Ｌ、右信号Ｒ、サラウンド左信号ＳＬ、サラウンド右信号ＳＲにデコードされる。中央信号Ｃは、ダミー映像信号生成部７６からのダミー映像とともに、ＴＭＤＳ信号にされる。このＴＭＤＳ信号は、ＴＶ装置２１のＨＤＭＩ受信部６４において受信され、中央信号Ｃが分離され、ＴＶ装置２１のスピーカから出力される。【選択図】  図３
2012138760.tif 000002
【特許請求の範囲】
【請求項１】
ＨＤＭＩソース装置と、当該ＨＤＭＩソース装置とＨＤＭＩ接続手段によって接続されたＨＤＭＩシンク装置とを備え、ＨＤＭＩシンク装置にて受信したマルチチャネル音声信号の一部のチャネルをＨＤＭＩシンク装置にて再生し、一部のチャネルをＨＤＭＩソース装置にて再生するシステムであって、
前記ＨＤＭＩソース装置は、
映像信号と音声信号を受けて、ＴＭＤＳ信号を生成し、ＨＤＭＩ接続手段を介してＨＤＭＩシンク装置に送信するＨＤＭＩ送信部と、
前記ＨＤＭＩシンク装置から、ＨＤＭＩ接続手段のオーディオリターンチャネルを介して、マルチチャネル音声信号を受信するマルチチャネル音声信号受信部と、
受信したマルチチャネル音声信号を、各チャネルの音声信号にデコードするデコード部と、
少なくとも同期信号を含むダミー映像信号を生成するダミー映像信号生成部とを備え、
前記デコードした各チャネルの音声信号のうち、ＨＤＭＩシンク装置にて再生しようとするチャネルの音声信号と、ダミー映像信号生成部にて生成されたダミー映像信号とをＨＤＭＩ送信部に与え、ＴＭＤＳ信号としてＨＤＭＩシンク装置に送信するように構成され、
前記ＨＤＭＩシンク装置は、
受信したマルチチャネル音声信号を、ＨＤＭＩケーブルのオーディオリターンチャネルを介して、前記ＨＤＭＩソース装置に送信する音声信号送信部と、
前記ＨＤＭＩ送信部から送られてきたＴＭＤＳ信号を受信して、ダミー映像信号とＨＤＭＩシンク装置にて再生しようとするチャネルの音声信号に分離するＨＤＭＩ受信部と、
を備えていることを特徴とするシステム。
【請求項２】
ＨＤＭＩシンク装置とＨＤＭＩ接続手段によって接続されるＨＤＭＩソース装置であって、
映像信号と音声信号を受けて、ＴＭＤＳ信号を生成し、ＨＤＭＩ接続手段を介してＨＤＭＩシンク装置に送信するＨＤＭＩ送信部と、
前記ＨＤＭＩシンク装置から、ＨＤＭＩ接続手段のオーディオリターンチャネルを介して、マルチチャネル音声信号を受信するマルチチャネル音声信号受信部と、
受信したマルチチャネル音声信号を、各チャネルの音声信号にデコードするデコード部と、
少なくとも同期信号を含むダミー映像信号を生成するダミー映像信号生成部とを備え、
前記デコードした各チャネルの音声信号のうち、ＨＤＭＩシンク装置にて再生しようとするチャネルの音声信号と、ダミー映像信号生成部にて生成されたダミー映像信号とをＨＤＭＩ送信部に与え、ＴＭＤＳ信号としてＨＤＭＩシンク装置に送信するようにしたことを特徴とするＨＤＭＩソース装置。
【請求項３】
請求項２のＨＤＭＩソース装置において、
前記ＨＤＭＩシンク装置にて再生しようとするチャネルの音声信号は、ユーザ操作入力に対応して、ディジタル信号としてボリューム調整を行い、他のチャネルの音声信号は、前記ユーザ操作入力に対応して、アナログ信号としてボリューム調整を行うことを特徴とするＨＤＭＩソース装置。
【請求項４】
請求項２または３のＨＤＭＩソース装置において、
前記ＨＤＭＩシンク装置にて再生しようとするチャネルの音声信号は、前方中央チャネルの音声信号のみであるか、前方左チャネル音声信号および前方右チャネル音声信号であることを特徴とするＨＤＭＩソース装置。
【請求項５】
請求項２〜４のいずれかのＨＤＭＩソース装置において、
前記ＨＤＭＩシンク装置は、ＴＶ装置であることを特徴とするＨＤＭＩソース装置。
【請求項６】
ＨＤＭＩソース装置と、当該ＨＤＭＩソース装置とＨＤＭＩ接続手段によって接続されたＨＤＭＩシンク装置とを備え、ＨＤＭＩシンク装置にて受信したマルチチャネル音声信号の一部のチャネルをＨＤＭＩシンク装置にて再生し、一部のチャネルをＨＤＭＩソース装置にて再生する方法であって、
前記ＨＤＭＩソース装置は、
前記ＨＤＭＩシンク装置から、ＨＤＭＩ接続手段のオーディオリターンチャネルを介して、マルチチャネル音声信号を受信し、
受信したマルチチャネル音声信号を、各チャネルの音声信号にデコードし、
少なくとも同期信号を含むダミー映像信号を生成し、
前記デコードした各チャネルの音声信号のうち、ＨＤＭＩシンク装置にて再生しようとするチャネルの音声信号と、ダミー映像信号生成部にて生成されたダミー映像信号を受けて、ＴＭＤＳ信号を生成し、ＨＤＭＩ接続手段を介してＨＤＭＩシンク装置に送信し、
前記ＨＤＭＩシンク装置は、
受信したマルチチャネル音声信号を、ＨＤＭＩ接続手段のオーディオリターンチャネルを介して、前記ＨＤＭＩソース装置に送信し、
前記ＨＤＭＩソース装置から送られてきたＴＭＤＳ信号を受信して、ダミー映像信号とＨＤＭＩシンク装置にて再生しようとするチャネルの音声信号に分離することを特徴とする再生方法。
【発明の詳細な説明】
【技術分野】
【０００１】
この発明は、ＨＤＭＩソース装置とＨＤＭＩシンク装置を有するシステムにおいて、ＨＤＭＩソース装置およびＨＤＭＩシンク装置において分担してマルチチャネルの音声信号を出力することを可能にする技術に関する。
【背景技術】
【０００２】
ＨＤＭＩ機器においては、ＨＤＭＩソース装置（たとえばレシーバ）から、ＨＤＭＩシンク装置（たとえばＴＶ装置）に対し、ＨＤＭＩケーブルを介して音声信号・映像信号を送信し、ＨＤＭＩシンク装置において再生するのが一般的な使用方法である。
【０００３】
図１に、レシーバ４をＨＤＭＩソース装置とし、ＴＶ装置２をＨＤＭＩシンク装置とした場合の例を示す。レシーバ４が、入力端子５１を介して受信部５０において受信した映像信号・音声信号は、ＨＤＭＩ送信部４４において、ＴＭＤＳ信号に変換される。このＴＭＤＳ信号は、ＨＤＭＩケーブル５８を介して、ＴＶ装置２のＨＤＭＩ受信部３４にて受信される。ＨＤＭＩ受信部３４は、ＴＭＤＳ信号を映像信号と音声信号に分離し、それぞれ、映像信号処理部２２と音声信号処理部２８に与える。映像信号処理部２２は、映像信号を表示部２４にて表示する。音声信号処理部２８は、音声信号をＬスピーカ３８、Ｒスピーカ３９から出力する。
【０００４】
以上のようにして、ＨＤＭＩソース装置からＨＤＭＩシンク装置に対し、ＨＤＭＩケーブル５８を介して信号が伝送され、映像信号・音声信号の再生が行われる。つまり、ＨＤＭＩケーブルにおける信号の伝送方向は、ＨＤＭＩソース装置からＨＤＭＩシンク装置への方向であるのが一般的である。
【０００５】
しかし、オーディオリターンチャネルがＨＤＭＩケーブルに設けられるようになり、ＨＤＭＩシンク装置からＨＤＭＩソース装置に対しても信号を伝送することができるようになった。このオーディオリターンチャネルを用いると、図２に示すような利用が可能となる。
【０００６】
図２において、ＴＶ装置２の放送受信部２０によって受信された信号は、映像信号処理部２２と音声信号処理部２８に与えられる。映像信号処理部２２は、映像信号を表示部２４に表示する。音声信号処理部２８は、Ｌスピーカ３８、Ｒスピーカ３９から音声を出力する。
【０００７】
しかし、上記のような使用方法であれば、放送において５．１チャネルの音声信号が送られてきていても、ＴＶ装置２に内蔵のＬスピーカ３８、Ｒスピーカ３９のみからしか音声を出力することができない。
【０００８】
そこで、音声信号処理部２８において、５．１チャネルの音声信号を、ＨＤＭＩケーブル５８のオーディオリターンチャネルを介して、レシーバ４に送信するようにしている。５．１チャネルの音声信号を受けたレシーバ４の受信部５０は、これをサラウンドデコード部４０に与える。サラウンドデコード部４０は、５．１チャネルの音声信号を、左信号Ｌ、右信号Ｒ、中央信号Ｃ、左サラウンド信号ＳＬ、右サラウンド信号ＳＲにデコードし、各スピーカ５２、５３、５４、５６、５７に与える。このようにすれば、ＴＶ装置２において受信した５．１チャネルの音声信号を、オーディオリターンチャネルでレシーバ４に送信し、レシーバ４に接続したスピーカにて、５．１チャネルにて再生することができる。
【先行技術文献】
【特許文献】
【０００９】
【特許文献１】特開２００９−２６０４５８
【発明の概要】
【発明が解決しようとする課題】
【００１０】
しかしながら、図２に示すような構成では、音声の中央信号Ｃについてもレシーバに接続されたＣスピーカ５４にて再生が行われる。中央信号Ｃは、表示部２４に表示される映像に近接した位置で再生されることが好ましい。したがって、中央信号Ｃは、ＴＶ装置２のＬスピーカ３８、Ｒスピーカ３９から再生し、その他の信号は、レシーバ４のＬスピーカ５２、Ｒスピーカ５３、ＳＬスピーカ５６、ＳＲスピーカ５７から再生されるようにすることが望まれる。
【００１１】
たとえば、特許文献１には、図１のようにＨＤＭＩソース装置（レシーバ４）から、ＨＤＭＩシンク装置（ＴＶ装置２）に対して、映像信号・音声信号を送るシステムを前提として、中央信号ＣのみをＴＭＤＳ信号としてＨＤＭＩケーブル５８を介してＨＤＭＩシンク装置（ＴＶ装置２）に送信するシステムが開示されている。また、これに応じて、音声信号処理部４２からは中央信号Ｃを出力しないようにしている。このシステムによれば、中央信号Ｃについては、ＴＶ装置２のＬスピーカ３８、Ｒスピーカ３９から出力し、左信号Ｌ、右信号Ｒ、サラウンド信号ＳＬ、サラウンド信号ＳＲについては、レシーバ４のＬスピーカ５２、Ｒスピーカ５３、ＳＬスピーカ５６、ＳＲスピーカ５７から出力することができる。
【００１２】
しかしながら、特許文献１に記載のシステムでは、レシーバ４にて受けた多チャネル音声については、上記のように、一部の音声をＴＶ装置２から出力し、他の音声をレシーバ４から出力することが可能であるが、ＴＶ装置２にて受けた多チャネル音声について、そのような再生を実現することはできなかった。
【００１３】
この発明は、上記のような問題を解決して、ＨＤＭＩシンク装置にて受信した多チャネル音声について、一部の音声をＨＤＭＩシンク装置にて再生し、他の一部の音声をＨＤＭＩソース装置にて再生することを可能とするシステムを提供することを目的とする。
【課題を解決するための手段】
【００１４】
(1)この発明に係るシステムは、ＨＤＭＩソース装置と、当該ＨＤＭＩソース装置とＨＤＭＩ接続手段によって接続されたＨＤＭＩシンク装置とを備え、ＨＤＭＩシンク装置にて受信したマルチチャネル音声信号の一部のチャネルをＨＤＭＩシンク装置にて再生し、一部のチャネルをＨＤＭＩソース装置にて再生するシステムであって、
前記ＨＤＭＩソース装置は、映像信号と音声信号を受けて、ＴＭＤＳ信号を生成し、ＨＤＭＩ接続手段を介してＨＤＭＩシンク装置に送信するＨＤＭＩ送信部と、前記ＨＤＭＩシンク装置から、ＨＤＭＩ接続手段のオーディオリターンチャネルを介して、マルチチャネル音声信号を受信するマルチチャネル音声信号受信部と、受信したマルチチャネル音声信号を、各チャネルの音声信号にデコードするデコード部と、少なくとも同期信号を含むダミー映像信号を生成するダミー映像信号生成部とを備え、前記デコードした各チャネルの音声信号のうち、ＨＤＭＩシンク装置にて再生しようとするチャネルの音声信号と、ダミー映像信号生成部にて生成されたダミー映像信号とをＨＤＭＩ送信部に与え、ＴＭＤＳ信号としてＨＤＭＩシンク装置に送信するように構成され、
前記ＴＶ装置は、受信したマルチチャネル音声信号を、ＨＤＭＩ接続手段のオーディオリターンチャネルを介して、前記ＨＤＭＩソース装置に送信する音声信号送信部と、前記ＨＤＭＩ送信部から送られてきたＴＭＤＳ信号を受信して、ダミー映像信号とＨＤＭＩシンク装置にて再生しようとするチャネルの音声信号に分離するＨＤＭＩ受信部とを備えていることを特徴としている。
【００１５】
したがって、ＨＤＭＩシンク装置にて受信した多チャネル音声信号について、その一部をＨＤＭＩシンク装置にて再生し、他の一部をＨＤＭＩソース装置にて再生することができる。
【００１６】
(2)この発明に係るＨＤＭＩソース装置は、 ＨＤＭＩシンク装置とＨＤＭＩ接続手段によって接続されるＨＤＭＩソース装置であって、映像信号と音声信号を受けて、ＴＭＤＳ信号を生成し、ＨＤＭＩ接続手段を介してＨＤＭＩシンク装置に送信するＨＤＭＩ送信部と、前記ＨＤＭＩシンク装置から、ＨＤＭＩ接続手段のオーディオリターンチャネルを介して、マルチチャネル音声信号を受信するマルチチャネル音声信号受信部と、受信したマルチチャネル音声信号を、各チャネルの音声信号にデコードするデコード部と、少なくとも同期信号を含むダミー映像信号を生成するダミー映像信号生成部とを備え、前記デコードした各チャネルの音声信号のうち、ＨＤＭＩシンク装置にて再生しようとするチャネルの音声信号と、ダミー映像信号生成部にて生成されたダミー映像信号とをＨＤＭＩ送信部に与え、ＴＭＤＳ信号としてＨＤＭＩシンク装置に送信するようにしたことを特徴としている。
【００１７】
したがって、ＨＤＭＩシンク装置にて受信した多チャネル音声信号について、その一部をＨＤＭＩシンク装置にて再生し、他の一部をＨＤＭＩソース装置にて再生することができる。
【００１８】
(3)この発明に係るＨＤＭＩソース装置は、ＨＤＭＩシンク装置にて再生しようとするチャネルの音声信号は、ユーザ操作入力に対応して、ディジタル信号としてボリューム調整を行い、他のチャネルの音声信号は、前記ユーザ操作入力に対応して、アナログ信号としてボリューム調整を行うことを特徴としている。
【００１９】
したがって、ユーザ操作入力に対応して、ＨＤＭＩソース装置にて出力される音声信号のボリューム調整と、ＨＤＭＩシンク装置にて出力される音声信号のボリューム調整とを連動させることができる。
【００２０】
(4)この発明に係るＨＤＭＩソース装置は、ＨＤＭＩシンク装置にて再生しようとするチャネルの音声信号は、前方中央チャネルの音声信号のみであるか、前方左チャネル音声信号および前方右チャネル音声信号であることを特徴としている。
【００２１】
したがって、ＨＤＭＩシンク装置の側において、前方中央チャネルの音声信号または、前方左チャネル音声信号および前方右チャネル音声信号を再生することができる。
【００２２】
(5)この発明に係るＨＤＭＩソース装置は、ＨＤＭＩシンク装置はＴＶ装置であることを特徴としている。
【００２３】
したがって、ＴＶ装置のスピーカから、一部の音声信号を再生することができる。
【００２４】
(6)この発明に係る再生方法は、ＨＤＭＩソース装置と、当該ＨＤＭＩソース装置とＨＤＭＩケーブルによって接続されたＨＤＭＩシンク装置とを備え、ＨＤＭＩシンク装置にて受信したマルチチャネル音声信号の一部のチャネルをＨＤＭＩシンク装置にて再生し、一部のチャネルをＨＤＭＩソース装置にて再生する方法であって、
前記ＨＤＭＩソース装置は、前記ＨＤＭＩシンク装置から、ＨＤＭＩケーブルのオーディオリターンチャネルを介して、マルチチャネル音声信号を受信し、受信したマルチチャネル音声信号を、各チャネルの音声信号にデコードし、少なくとも同期信号を含むダミー映像信号を生成し、前記デコードした各チャネルの音声信号のうち、ＨＤＭＩシンク装置にて再生しようとするチャネルの音声信号と、ダミー映像信号生成部にて生成されたダミー映像信号を受けて、ＴＭＤＳ信号を生成し、ＨＤＭＩケーブルを介してＨＤＭＩシンク装置に送信し、
前記ＴＶ装置は、受信したマルチチャネル音声信号を、ＨＤＭＩケーブルのオーディオリターンチャネルを介して、前記ＨＤＭＩソース装置に送信し、前記ＨＤＭＩソース装置から送られてきたＴＭＤＳ信号を受信して、ダミー映像信号とＨＤＭＩシンク装置にて再生しようとするチャネルの音声信号に分離することを特徴としている。
【００２５】
したがって、ＨＤＭＩシンク装置にて受信した多チャネル音声信号について、その一部をＨＤＭＩシンク装置にて再生し、他の一部をＨＤＭＩソース装置にて再生することができる。
【図面の簡単な説明】
【００２６】
【図１】従来のＴＶ装置２とレシーバ４によるシステムの構成図である。
【図２】従来のＴＶ装置２とレシーバ４によるシステムの構成図である。
【図３】この発明の一実施形態によるＴＶ装置２とレシーバ４によるシステムの機能ブロック図である。
【図４】この発明の一実施形態によるＴＶ装置２とレシーバ４によるシステムの回路ブロック図である。
【図５】他の実施形態によるＴＶ装置２とレシーバ４によるシステムの回路ブロック図である。
【図６】他の実施形態によるＴＶ装置２とレシーバ４によるシステムの回路ブロック図である。
【図７】サラウンドデコード部７８と音声信号処理部８０の回路ブロック図である。
【発明を実施するための形態】
【００２７】
１．第一の実施形態
(1)全体構成
図３に、この発明の一実施形態によるＨＤＭＩシンク装置２１とＨＤＭＩソース装置４１を備えたシステムの機能ブロック図を示す。ＨＤＭＩシンク装置２１にて受信された多チャネル音声信号は、音声信号送信部６３によって、ＨＤＭＩケーブル６８のオーディオリターンチャネルを介して、ＨＤＭＩソース装置４１に送信される。
【００２８】
ＨＤＭＩソース装置４１のマルチチャネル音声信号受信部７１は、受信した多チャネル音声信号をデコード部７３に与える。デコード部７３は、多チャネル信号を中央信号Ｃ、左信号Ｌ、右信号Ｒ、サラウンド左信号ＳＬ、サラウンド右信号ＳＲにデコードする。
【００２９】
デコードされた信号のうち、左信号Ｌ、右信号Ｒ、サラウンド左信号ＳＬ、サラウンド右信号ＳＲは、それぞれ、レシーバ４に接続されたＬスピーカ、Ｒスピーカ、ＳＬスピーカ、ＳＲスピーカ（図示せず）から出力される。
【００３０】
中央信号Ｃは、ＨＤＭＩ送信部７２において、ダミー映像信号生成部７６からのダミー映像とともに、ＴＭＤＳ信号にされる。このＴＭＤＳ信号は、ＨＤＭＩケーブル６８を介して、ＨＤＭＩシンク装置２１のＨＤＭＩ受信部６４に受信される。ＨＤＭＩ受信部６４では、中央信号Ｃが分離され、ＨＤＭＩシンク装置２１のスピーカ（図示せず）から出力される。
【００３１】
(2)回路構成と動作
図４に、この発明の一実施形態によるシステムのハードウエア構成を示す。ＨＤＭＩシンク装置であるＴＶ装置２は、放送受信部８２、ＤＶＤ／ＢＤ／ＨＤＤプレイヤ８４、ＨＤＭＩ受信部６４、制御部６５、ＨＤＭＩコネクタ６６、映像信号処理部８６、音声信号処理部６２、表示部８８、Ｌスピーカ１００、Ｒスピーカ１０２を備えている。
【００３２】
ＨＤＭＩソース装置であるレシーバ４は、ＨＤＭＩコネクタ７０、ＨＤＭＩ送信部７２、マルチチャネル音声信号受信部である受信部７４、制御部７５、ダミー映像信号生成部７６、デコード部であるサラウンドデコード部７８、ボリューム調整部７９、音声信号処理部８０、スイッチ９８を備えている。
【００３３】
この実施形態では、ＴＶ装置２の放送受信部８２にて映像信号・音声信号を受信して、映像信号および音声信号のうちの中央信号ＣはＴＶ装置２から出力し、他の音声信号Ｌ、Ｒ、ＳＬ、ＳＲはレシーバ４から出力することを可能とする。つまり、ＴＶ装置２、レシーバ４は、このような特殊モードを実行することができる。特殊モードへの切り換えは、ユーザの操作などにより制御部６５、７５が行う。以下、この特殊モードにおける処理について説明する。
【００３４】
放送受信部８２は、映像信号および多チャネル音声信号を受信する。受信した映像信号と、多チャネル音声信号は分離され、映像信号は映像信号処理部８６に与えられる。多チャネル音声信号は音声信号処理部６２に与えられる。
【００３５】
映像信号処理部８６は、映像信号を表示部８８において表示する。制御部６５は、音声信号処理部６２を制御し、多チャネル音声信号を、ＨＤＭＩケーブル６８のオーディオリターンチャネルを介して、レシーバ４に送信するように指令する。つまり、この実施形態においては、音声信号処理部６２が、音声信号送信部に対応している。
【００３６】
レシーバ４の受信部７４は、制御部７５の制御により、受信した多チャネル音声信号を、サラウンドデコード部７８に与える。サラウンドデコード部７８は、多チャネル音声信号をデコードし、中央信号Ｃ、左信号Ｌ、右信号Ｒ、サラウンド左信号ＳＬ、サラウンド右信号ＳＲを生成する。
【００３７】
左信号Ｌ、右信号Ｒ、サラウンド左信号ＳＬ、サラウンド右信号ＳＲは、音声信号処理部８０において、Ｄ／Ａ変換などがなされ、Ｌスピーカ９２、Ｒスピーカ９３、ＳＬスピーカ９４、ＳＲスピーカ９５に与えられる。したがって、左信号Ｌ、右信号Ｒ、サラウンド左信号ＳＬ、サラウンド右信号ＳＲは、レシーバ４に接続されたスピーカから出力されることになる。
【００３８】
音声信号処理部８０は、制御部７５の指令に基づき、Ｄ／Ａ変換後の音声信号のボリュームを調整する。制御部７５は、ユーザのつまみ操作に応じて、ボリュームの大きさを制御する。
【００３９】
一方、サラウンドデコード部７８においてデコードされた中央信号Ｃは、スイッチ９８により、ＨＤＭＩ送信部７２に与えられる。特殊モードにおいては、スイッチ９８は、制御部７５により、ＨＤＭＩ送信部７２の側に切り換えられるからである。なお、通常モードにおいては、スイッチ９８は、音声信号処理部８０の側に切り換えられる。
【００４０】
このように、特殊モードにおいては、サラウンドデコード部７８の出力である中央信号Ｃは、ＨＤＭＩ送信部７２に与えられることになる。
【００４１】
特殊モードにおいては、制御部７５の制御により、ダミー映像信号生成部７６が動作を行い、ダミー映像信号を出力する。ここで、ダミー映像信号とは、少なくとも、水平同期信号、垂直同期信号などの必須の信号で構成されたＨＤＭＩ信号である。たとえば、ダミー映像信号は、黒レベルの信号などとすることができる。
【００４２】
ＨＤＭＩ送信部７２は、ダミーの映像信号と中央信号Ｃを受けて、ＴＭＤＳ信号を生成する。ここで、ダミーの映像信号を用いたのは、少なくとも水平同期信号、垂直同期信号がないと、ＴＭＤＳ信号の生成ができないためである。
【００４３】
生成されたＴＭＤＳ信号は、ＨＤＭＩケーブル６８を介して、ＴＶ装置２に送信される。ＴＶ装置２のＨＤＭＩ受信部６４は、このＴＭＤＳ信号を受けて、ダミーの映像信号と、中央信号Ｃを分離する。特殊モードにおいては、制御部６５の制御により、ＨＤＭＩ受信部６４はダミーの映像信号を出力しない。
【００４４】
一方、中央信号Ｃは、音声信号処理部６２に与えられる。音声信号処理部６２は、中央信号Ｃを、Ｌスピーカ１００、Ｒスピーカ１０２に出力する。したがって、中央信号Ｃは、ＴＶ装置２のスピーカから出力されることになる。
【００４５】
以上のようにして、レシーバ４から左信号Ｌ、右信号Ｒ、サラウンド左信号ＳＬ、サラウンド右信号ＳＲを出力し、ＴＶ装置２から中央信号Ｃを出力することができる。これにより、表示部８８において表示される映像の近傍から中央信号Ｃを出力することができる。
【００４６】
ただし、上述の例では、レシーバ４のボリュームつまみ（図示せず）を操作してボリュームを変えた場合、左信号Ｌ、右信号Ｒ、サラウンド左信号ＳＬ、サラウンド右信号ＳＲの大きさは変わるものの、中央信号Ｃの大きさは変わらないことになる。サラウンドデコード部７８の出力であるディジタル音声信号は、ボリュームつまみの操作にかかわらず、フルレンジにてＴＶ装置２に送信されるからである。つまり、レシーバ４のボリュームつまみの操作による音の大きさの変化が、レシーバ４からの音とＴＶ装置２からの音で、連動しないということである。
【００４７】
そこで、この実施形態では、レシーバ４の制御部７５とＴＶ装置２の制御部６５を制御ライン７７で接続するようにしている。レシーバ４の制御部７５は、ボリュームつまみの位置に応じた制御信号を、音声信号処理部８０に与えるとともに、制御ライン７７を介して、ＴＶ装置２の制御部６５に与える。ＴＶ装置２の制御部６５は、レシーバ４の制御部７５から受けた制御信号にしたがって、音声信号処理部６２を制御し、ボリュームの調整を行う。
【００４８】
以上のようにして、レシーバ４のボリュームつまみによる音量調整において、レシーバ４からの左信号Ｌ、右信号Ｒ、サラウンド左信号ＳＬ、サラウンド右信号ＳＲの大きさの変化と、ＴＶ装置２からの中央信号Ｃの大きさの変化を連動させることができる。
【００４９】
なお、上記では、制御ライン７７を介して、ボリューム調整の制御信号を送信するようにしている。しかし、この制御信号を、ＨＤＭＩ信号のＣＥＣとして、ＨＤＭＩケーブル６８を介して、送信するようにしてもよい。
【００５０】
２．第二の実施形態
図５に、第二の実施形態を示す。サラウンドデコード部７８から、音声信号処理部８０への音声信号の出力が、２チャネル混合にて出力される場合もある。たとえば、図５の例においては、中央信号Ｃとサブウーファ信号ＳＷが、混合されたディジタル信号として音声信号処理部８０に出力されている。音声信号処理部８０において、Ｄ／Ａ変換の際に分離される。このような場合、中央信号Ｃのみをディジタル信号の状態で取り出すことはできない。
【００５１】
そこで、この実施形態では、同じ中央チャネルＣの音声信号を２つ混合させた出力Ｃ／Ｃを設けるようにしている。これを、ＨＤＭＩ送信部７２にてＴＭＤＳ信号とし、ＴＶ装置２に送信する。ＴＶ装置２のＨＤＭＩ受信部６４は、２つの中央信号Ｃを分離して取り出し、音声信号処理部６２に与える。音声信号処理部６２は、２つの中央信号Ｃを、Ｌスピーカ１００とＲスピーカ１０２に与える。他の処理については、第一の実施形態と同じである。
【００５２】
３．第三の実施形態
図６に、第三の実施形態を示す。基本的な構成は、第二の実施形態と同様である。ただし、この実施形態では、制御部６５と制御部７５の間に制御ライン７７を設ける必要はない。また、レシーバ４のボリュームつまみに応じて制御部７５が行うボリューム制御が、音声信号処理部８０ではなくサラウンドデコード部７８において行われる点が異なっている。
【００５３】
図７に、この実施形態におけるサラウンドデコード部７８および音声信号処理部８０のブロック図を示す。サラウンドデコード部７８の入力端子１６２は、受信部７４（図６参照）からの多チャネル信号を受信するためのものである。デコード部１１４は、多チャネル信号を受けてこれをデコードし、中央信号Ｃ、サブウーファ信号ＳＷ、左信号Ｌ、右信号Ｒ、サラウンド左信号ＳＬ、サラウンド右信号ＳＲとする。
【００５４】
合成部１１６は、中央信号Ｃおよびサブウーファ信号ＳＷを時分割で合成し、信号Ｃ／ＳＷとして端子１６４から出力する。合成部１１８は、左信号Ｌおよび右信号Ｒを時分割で合成し、信号Ｌ／Ｒとして端子１６６から出力する。合成部１２０は、サラウンド左信号ＳＬおよびサラウンド右信号ＳＲを時分割で合成し、信号ＳＬ／ＳＲとして端子１６８から出力する。
【００５５】
音声信号処理部８０のＤ／Ａコンバータ１４０は、信号Ｃ／ＳＷを受けて中央アナログ信号、サブウーファ・アナログ信号を生成する。Ｄ／Ａコンバータ１４２は、信号Ｌ／Ｒを受けて左アナログ信号、右アナログ信号を生成する。Ｄ／Ａコンバータ１４４は、信号ＳＬ／ＳＲを受けてサラウンド左アナログ信号、サラウンド右アナログ信号を生成する。これらの信号は、ボリュームつまみに連動したアッテネータ１４６、１４８、１５０、１５２、１５４、１５６を通って、それぞれ、Ｃスピーカ９０、Ｌスピーカ９２、Ｒスピーカ９３、ＳＬスピーカ９４、ＳＲスピーカ９５に出力される。
【００５６】
なお、特殊モードにおいては、制御部７５の処理により、音声信号処理部８０は、中央アナログ信号を出力しない。中央アナログ信号は、ＴＶ装置２から出力されるからである。
【００５７】
一方、レシーバ８１は、特殊モードにおいて、アッテネータ１１２および合成部１１０を動作させる。デコード部１１４の中央信号Ｃは、アッテネータ１１２を通して、合成部１１０に与えられる。このアッテネータ１１２は、ボリュームつまみに連動した制御信号を受けて、ディジタル信号である中央信号Ｃの大きさを変化させる。合成部１１０は、２つの中央信号Ｃを時分割合成し、信号Ｃ／Ｃを生成して、端子１６０から出力する。この信号Ｃ／Ｃは、ＨＤＭＩ送信部７２に与えられ、ＴＶ装置２に送信されて、Ｌスピーカ１００、Ｒスピーカ１０２にて再生される（図６参照）。
【００５８】
この実施形態では、レシーバ４のボリュームつまみを操作した場合、サブウーファ信号ＳＷ、左信号Ｌ、右信号Ｒ、サラウンド左信号ＳＬ、サラウンド右信号ＳＲについては、音声信号処理部８０において、アナログ信号としてボリューム調整が行われ、これに連動して、中央信号Ｃについては、サラウンドデコード部７８においてディジタル信号としてボリューム調整が行われる。したがって、特殊モードにおいて、レシーバ４のボリュームつまみの操作により、レシーバ４から出力される音声と、ＴＶ装置２から出力される音声を連動して変化させることができる。
【００５９】
また、ディジタル信号としてボリュームを調整すると、ＳＮ比が悪くなるという問題があるが、この実施形態では、中央信号Ｃのみをディジタル信号としてボリューム調整し、他の信号についてはアナログ信号としてボリューム調整を行っている。したがって、ＳＮ比の劣化を抑えることができる。
【００６０】
なお、ＳＮ比の劣化を問題としないのであれば、全ての信号をディジタル信号の段階でボリューム調整してもよい。
【００６１】
４．その他の実施形態
(1)上記各実施形態においては、中央信号Ｃを、レシーバ４からＴＶ装置２に戻してＴＶ装置２から出力するようにしている。しかし、左信号Ｌ、右信号Ｒを、レシーバ４からＴＶ装置２に戻してＴＶ装置２から出力するようにしてもよい。あるいは、その他の信号（たとえば、サラウンド左信号ＳＬ、サラウンド右信号ＳＲ）を、レシーバ４からＴＶ装置２に戻してＴＶ装置２から出力するようにしてもよい。
【００６２】
(2)上記実施形態においては、ＴＶ装置２が放送によって受信した映像信号・音声信号を対象とする場合について説明した。しかし、ＤＶＤ／ＢＤ／ＨＤＤプレイヤ８４からの映像信号・音声信号を対象としても、同様の処理を行うことができる。さらに、放送やプレイヤに限らず、その他の機器などから受け取った映像信号・音声信号についても同様に適用することができる。
【００６３】
(3)上記実施形態では、５．１チャネルの多チャネル信号を例として説明したが、その他の多チャネル信号についても同様に適用することができる。
【００６４】
(4)上記実施形態では、ＨＤＭＩソース装置としてレシーバ４、ＨＤＭＩシンク装置としてＴＶ装置２を例に説明した。しかし、ＨＤＭＩソース装置、ＨＤＭＩシンク装置全般に適用することができる。
【００６５】
(5)上記実施形態では、ＨＤＭＩケーブルをＨＤＭＩ接続手段としている。しかしながら、無線通信など、その他の接続手段を用いてもよい。
【図１】
2012138760.tif 000003
【図２】
2012138760.tif 000004
【図３】
2012138760.tif 000005
【図４】
2012138760.tif 000006
【図５】
2012138760.tif 000007
【図６】
2012138760.tif 000008
【図７】
2012138760.tif 000009